(57)【要約】      （修正有）【課題】再生する音波の出口がユーザーの外耳道入り口に挿入されるカナル型のイヤホンに関し、スピーカーユニットを取り付けた場合に適切な音圧周波数特性を得るハウジングを構成して、明瞭で好ましい音声再生を実現するイヤホンを提供する。【解決手段】イヤホン１は、ハウジング２が、第１音響空間１７に連通して音波をユーザーの外耳道に導く第１音響通路を形成するノズル部と、第２音響空間１８に連通して音波を外部空間に導く第２音響通路を形成するリークポート部７と、を備え、リークポート部が、第２音響通路を構成する柔軟性を有する筒状材７と、筒状体を屈曲させることなく第２音響空間を構成するハウジングの内壁部またはハウジングの外壁部に添って固定する固定部１６と、を有する。【選択図】図２
2018006784.tif 000002
【特許請求の範囲】
【請求項１】
音声信号を音波に電気音響変換するスピーカーユニットと、
その内部に該スピーカーユニットを取り付けて、該スピーカーユニットの振動板の一方側と他方側とにそれぞれ第１音響空間と第２音響空間とを規定するハウジングと、を備えるイヤホンであって、
該ハウジングが、該第１音響空間に連通して音波をユーザーの外耳道に導く第１音響通路を形成するノズル部と、該第２音響空間に連通して音波を外部空間に導く第２音響通路を形成するリークポート部と、を備え、
該リークポート部が、該第２音響通路を構成する柔軟性を有する筒状材と、該筒状体を屈曲させることなく該第２音響空間を構成する該ハウジングの内壁部または該ハウジングの外壁部に添って固定する固定部と、を有する、
イヤホン。
【請求項２】
前記リークポート部が、前記筒状材を螺旋状に巻回して前記第２音響通路を形成する、
請求項１に記載のイヤホン。
【請求項３】
前記リークポート部の前記固定部が、前記第２音響空間を構成する前記ハウジングの前記内壁部および／または前記外壁部に設けられて前記筒状材を収容する溝またはカバー部材を含む、
請求項１または２に記載のイヤホン。
【請求項４】
前記リークポート部の前記第２音響通路は、前記第２音響空間または前記外部空間と連通する開口端部の開口面積が、その中間部での断面積よりも大きくなるように形成されている、
請求項１から３のいずれかに記載のイヤホン。
【請求項５】
前記リークポート部の前記筒状材が、前記第２音響空間または前記外部空間と連通する開口端部に通気性を有する保護部材を更に備える、
請求項１から４のいずれかに記載のイヤホン。
【請求項６】
前記ハウジングが、前記スピーカーユニットに前記音声信号を供給するコードを接続するコード接続部をさらに備える、
請求項１から５のいずれかに記載のイヤホン。
【請求項７】
前記ハウジングが、前記ノズル部の先端に前記ユーザーの前記外耳道に挿入されるイヤピースを取り付けるイヤピース取付部を備え、
該イヤピース取付部に取り付ける該イヤピースをさらに備える、
請求項１から６のいずれかに記載のイヤホン。
【発明の詳細な説明】
【技術分野】
【０００１】
本発明は、ユーザーの耳に装着されて音声再生するイヤホンに関して、特に、再生する音波の出口がユーザーの外耳道入り口に挿入されるイヤホンに関する。
【背景技術】
【０００２】
ヘッドホン並びにイヤホンは、ユーザーの耳に当接するように近接配置されるスピーカーユニットに音声信号を印加することにより音を再生する。ユーザーの耳に装着されるイヤホンの中には、様々な形態のものがある。
【０００３】
例えば、イヤホンの中には、ヘッドホンのように比較的に大きなスピーカーユニットを備えて、耳介に本体を載せるように装着する耳掛部を備えるものがある。また、本体部を耳介の内側に収めるように装着し、本体部の放音面から外耳道に向け音を放出して使用するインナーイヤー型がある。また、本体部を耳介の内側に収めるように装着し、さらに本体部から突出する音筒部をそれに装着されたイヤピースと共に外耳道内に挿入して使用するカナル型と称されるタイプのイヤホンが普及している。
【０００４】
スピーカーユニットは、小型なものになるほど、高い音圧レベルを得て、かつ、音声再生周波数帯域を十分に広げて良好な再生音質を確保するのが難しくなる。ユーザーの耳に装着されるインナーイヤー型またはカナル型のイヤホンにおけるスピーカーユニットでも、同様の問題が生じる。特に、再生する音波の出口がユーザーの外耳道入り口に挿入されるカナル型のイヤホンでは、スピーカーユニットを取り付けるハウジングが小さく、必要十分な音声再生能力を有する振動板口径が大きいスピーカーユニットを採用するのが難しく、ハウジングの構造による影響を受けやすいという問題がある。
【０００５】
従来のイヤホンのハウジングでは、ハウジングの内部空間と外部空間を連通させる開口、孔、音響通路、リークポート等を設ける場合がある。特に、ハウジングのスピーカーユニットの背面側にあたる内部空間から外部空間に連通する比較的に長い音響通路を設けるものがある（特許文献１、２）。
【０００６】
また、従来には、内部に音響空間が形成され、前面に筒状の導音部が突設された筐体と、前記導音部に装着され、外耳道に挿入されるイヤーパッドと、第１通気孔を有し、前記筐体内に設けられて前記音響空間を第１音響空間と第２音響空間とに分離するフレームと、前記フレームに取り付けられ、電気信号を第１音波に変換して前記導音部へ出力する電気音波変換部と、前記フレームに取り付けられた音圧調整部と、を備え、前記音圧調整部は、前記第１通気孔に連通する第３音響空間と、前記第２音響空間及び前記第３音響空間に連通する筒状の第２通気孔と、前記第２通気孔内に挿入され、この挿入位置の調整によって所定の周波数帯域の音圧を低減する第１音響抵抗と、を有することを特徴とするカナル型イヤホンがある（特許文献３）。
【０００７】
ただし、従来のイヤホンは、更に改良が望まれる。特に、再生する音波の出口がユーザーの外耳道入り口に挿入されるカナル型のイヤホンでは、極めて小さい内部空間を形成するハウジングの構成が、再生する音波の音圧周波数特性に影響を与えるので、再生音声を明瞭に聞こえるようにしなければ、自然で好ましい音声再生を実現するのが難しいという問題がある。
【０００８】
【特許文献１】実開昭６３−９５３８８号公報
【特許文献２】特開２０１５−１９５４４４号公報
【特許文献３】特許第５６９６２４９号公報
【発明の概要】
【発明が解決しようとする課題】
【０００９】
本発明は、上記の従来技術が有する問題を解決するためになされたものであり、その目的は、再生する音波の出口がユーザーの外耳道入り口に挿入されるカナル型のイヤホンに関し、スピーカーユニットを取り付けた場合に適切な音圧周波数特性を得るハウジングを構成して、明瞭で好ましい音声再生を実現するイヤホンを提供することにある。
【課題を解決するための手段】
【００１０】
本発明のイヤホンは、音声信号を音波に電気音響変換するスピーカーユニットと、その内部にスピーカーユニットを取り付けて、スピーカーユニットの振動板の一方側と他方側とにそれぞれ第１音響空間と第２音響空間とを規定するハウジングと、を備えるイヤホンであって、ハウジングが、第１音響空間に連通して音波をユーザーの外耳道に導く第１音響通路を形成するノズル部と、第２音響空間に連通して音波を外部空間に導く第２音響通路を形成するリークポート部と、を備え、リークポート部が、第２音響通路を構成する柔軟性を有する筒状材と、筒状体を屈曲させることなく第２音響空間を構成するハウジングの内壁部またはハウジングの外壁部に添って固定する固定部と、を有する。
【００１１】
好ましくは、本発明のイヤホンは、リークポート部が、筒状材を螺旋状に巻回して第２音響通路を形成する。
【００１２】
また、好ましくは、本発明のイヤホンは、リークポート部の固定部が、第２音響空間を構成するハウジングの内壁部および／または外壁部に設けられて筒状材を収容する溝またはカバー部材を含む。
【００１３】
また、好ましくは、本発明のイヤホンは、リークポート部の第２音響通路は、第２音響空間または外部空間と連通する開口端部の開口面積が、その中間部での断面積よりも大きくなるように形成されている。
【００１４】
また、好ましくは、本発明のイヤホンは、リークポート部の筒状材が、第２音響空間または外部空間と連通する開口端部に通気性を有する保護部材を更に備える。
【００１５】
また、好ましくは、本発明のイヤホンは、ハウジングが、スピーカーユニットに音声信号を供給するコードを接続するコード接続部をさらに備える。
【００１６】
また、好ましくは、本発明のイヤホンは、ハウジングが、ノズル部の先端にユーザーの外耳道に挿入されるイヤピースを取り付けるイヤピース取付部を備え、イヤピース取付部に取り付けるイヤピースをさらに備える。
【００１７】
以下、本発明の作用について説明する。
【００１８】
本発明のイヤホンは、音声信号を音波に電気音響変換するスピーカーユニットと、その内部にスピーカーユニットを取り付けて、スピーカーユニットの振動板の一方側と他方側とにそれぞれ第１音響空間と第２音響空間とを規定するハウジングと、を備える。ハウジングは、第１音響空間に連通して音波をユーザーの外耳道に導く第１音響通路を形成するノズル部を備える。したがって、ハウジングが、スピーカーユニットに音声信号を供給するコードを接続するコード接続部をさらに備え、ハウジングのノズル部が、ユーザーの外耳道に挿入されるイヤピースを取り付けるイヤピース取付部をさらに有していれば、イヤピースが外耳道に密着するカナル型のイヤホンを実現できる。
【００１９】
このイヤホンのハウジングは、第２音響空間に連通して音波を外部空間に導く第２音響通路を形成するリークポート部を備える。リークポート部は、第２音響通路を構成する柔軟性を有する筒状材と、筒状体を屈曲させることなく第２音響空間を構成するハウジングの内壁部またはハウジングの外壁部に添って固定する固定部と、を有する。中空の管状の部材である筒状材は、柔軟性を有するので、固定部が、筒状材を所定の形状に整形させるとともにハウジングに対して固定する。
【００２０】
したがって、カナル型のイヤホンにおいて、適切な音圧周波数特性を得るのに細くて長い寸法の第２音響通路を形成しなければならない場合であっても、柔軟性を有する筒状材がハウジングに添って固定されているので、ハウジングからリークポート部が著しく突出するようなことがなく、ハウジング全体を小型化できる。その結果、自然で好ましい音声再生を実現することができる。
【００２１】
好ましくは、本発明のイヤホンは、ハウジングのリークポート部が、筒状材を螺旋状に巻回して第２音響通路を形成する。筒状材を螺旋状に巻回す場合には、少なくとも略円形状のハウジングの周長に相当する寸法よりも長い寸法の第２音響通路を形成することができるので、比較的に低い周波数帯域においても共振周波数の調整が可能になり、音声再生周波数帯域を十分に広げて良好な再生音質を確保することができるという利点がある。
【００２２】
また、本発明のイヤホンは、好ましくは、リークポート部の固定部が、第２音響空間を構成するハウジングの内壁部および／または外壁部に設けられて筒状材を収容する溝またはカバー部材を含む。ハウジングの内壁部および外壁部に筒状体をはめ込む溝を設ける固定部、あるいは、筒状体をカバー部材で固定する固定部を形成すれば、筒状体を屈曲させることなく所定の略円弧状に整形してハウジングに固定できる。その結果、リークポート部を形成する筒状体が屈曲したところで第２音響通路が閉じてしまう、または、狭くなるといった不具合を防止できる。筒状体をカバー部材でハウジングの外壁部に固定する場合には、カバー部材に意匠性を与えて美観に優れるイヤホンを実現できる。
【００２３】
また、リークポート部の第２音響通路は、第２音響空間または外部空間と連通する開口端部の開口面積が、その中間部での断面積よりも大きくなるように形成されていてもよい。例えば、リークポート部を形成する筒状体の開口端部を、斜めに切断することにより開口を楕円形状にすれば、開口面積をその中間部での断面積よりも大きくすることができ、リークポートとしての動作および効果を高めることができる。リークポート部の筒状材が、第２音響空間または外部空間と連通する開口端部に通気性を有する保護部材を更に備える場合には、開口端部から筒状材の内部に異物が混入して第２音響通路が閉じてしまう、または、狭くなるといった不具合を防止することができる。
【発明の効果】
【００２４】
本発明のイヤホンは、スピーカーユニットを取り付けた場合に適切な音圧周波数特性を得るリークポート部を含むハウジングを構成して、明瞭で好ましい音声再生を実現するカナル型のイヤホンを提供することができる。
【図面の簡単な説明】
【００２５】
【図１】本発明の好ましい実施形態によるイヤホンについて説明する図である。（実施例１）
【図２】本発明の好ましい実施形態によるイヤホンの内部構造について説明する図である。（実施例１）
【図３】本発明の好ましい実施形態によるイヤホンの音圧周波数特性について説明するグラフである。
【発明を実施するための形態】
【００２６】
以下、本発明の好ましい実施形態によるイヤホンについて説明するが、本発明はこれらの実施形態には限定されない。
【実施例１】
【００２７】
図１および図２は、本発明の好ましい実施形態によるイヤホン１について説明する図である。具体的には、図１は、ユーザーの片耳に装着するイヤホン１の斜視図を示し、後述するリークポート７の一部を隠すようにハウジング部材１２に対して固定するカバー８を、取り外した状態で図示している。
【００２８】
また、図２は、イヤホン１の内部構造を説明する断面図である。図２（ａ）は、図１のＡ−Ａ’断面の断面図であって、図２（ｂ）は、図２（ａ）でのＢ−Ｂ’断面に相当するリークポート７のみを示した構造図であり、図２（ｃ）は、図２（ｂ）でのリークポート７のＣ−Ｃ’断面図である。なお、本発明の説明に不要な他のイヤホン１の構成については、図示及び説明を省略する。
【００２９】
本実施例のイヤホン１は、再生する音波の出口がユーザーの耳介の外耳道孔に挿入されるカナル型のイヤホンである。イヤホン１は、ユーザーの左右耳にそれぞれ装着する略左右対称形状のイヤホンを備えて、ステレオ再生に対応することができる。以下では、イヤホン１の片方の耳に対応する構成を説明する。もちろん、イヤホン１の形態は、本実施例の場合に限定されない。
【００３０】
イヤホン１は、そのハウジング２に、コード５を介して音声信号を供給することで音を再生するスピーカーユニット３が取り付けられている。スピーカーユニット３は、磁気空隙を有する磁気回路を備え、磁気空隙に挿入されて音声信号が供給されるボイスコイルに連結した振動板を振動させる動電型の電気音響変換器である。スピーカーユニット３は、（図示しない）振動板の前面側および背面側に、逆位相の関係となる音波を放射する。したがって、ハウジング２は、スピーカーユニット３の振動板の一方側と他方側とを分離するように、スピーカーユニット３を取り付ける必要がある。
【００３１】
本実施例のハウジング２は、ユーザーの耳介の外耳道孔の大きさに相当するような口径のスピーカーユニット３を取り付けることができる。ハウジング２は、ノズル部を含む略円筒形状のベース部材１１と、ベース部材１１の後方側に連結してキャビティを構成するハウジング部材１２を含む。ハウジング２のベース部材１１およびハウジング部材１２は、スピーカーユニット３の振動板の前方側に音響空間１７を規定し、スピーカーユニット３の磁気回路が存在する後方側に、音響空間１７とは分離した音響空間１８を形成する。
【００３２】
ベース部材１１は、金属材料又は樹脂材料から構成され、スピーカーユニット３を内壁部に取り付けるスピーカーユニット取付部を備える。スピーカーユニット３の外径フレームは、略円筒形状のベース部材１１のスピーカーユニット取付部の内径寸法にほぼ一致する外形寸法を有する。ベース部材１１は、ユーザーの耳介の外耳道孔に挿入されるように、スピーカーユニット取付部よりも先端側が細く形成されるノズル部を含む。ノズル部は、音響空間１７に連通して音波をユーザーの外耳道に導く音響通路を、その内部側に形成する。
【００３３】
ベース部材１１のノズル部には、イヤピース６を取り付けるイヤピース取付部が、外周面に形成されている。弾性を有する笠形状のイヤピース６を取り付ければ、イヤピース６が外耳道孔に密着するカナル型のイヤホンを実現できる。イヤピース６により、ユーザーは耳介にイヤホン１を安定して装着することができる。なお、ノズル部の開口端部には、通気性を有する保護部材としての保護ネット１４が取り付けられている。保護ネット１４は、ノズル部の開口端部から内部に異物が混入して音響通路が閉じてしまう、などの不具合を防止する。また、ベース部材１１は、音響空間１７に連通して音波を外部空間に導く（図示しない）リーク穴もしくはポートを備えていてもよい。
【００３４】
一方で、ハウジング部材１２は、金属材料又は樹脂材料から構成され、スピーカーユニット３に音声信号を供給するコード５を固定するコードブッシュ４が連結される。コードブッシュ４は、内部にコード５を含むように柔軟なゴム材料で形成されて、その一方側がハウジング部材１２の取付孔に取り付けられている。ハウジング２にプラグ接続用のジャックを設けるイヤホン１の場合には、ハウジング部材１２には、スピーカーユニット３に音声信号を供給するコード５を接続するコード接続部として、コードブッシュ４に代えてコード５の先端のプラグが差し込まれるジャックを備えていてもよい。
【００３５】
ハウジング部材１２は、音響空間１７とは分離して形成される音響空間１８を規定し、さらにこの音響空間１８に連通して音波を外部空間に導く音響通路を形成するリークポート７を備える。リークポート７は、柔軟性を有するシリコン樹脂を材料とする中空の筒状材である外径２．０ｍｍ、内径１．０ｍｍ、長さ約４０．０ｍｍのチューブを用いて音響通路を構成する。図示するように、リークポート７は、音響空間１８に連通する開口端部７ａをハウジング部材１２の内側に配置し、外部空間に連通する開口端部７ｃをハウジング部材１２の外側に配置する。
【００３６】
リークポート７のチューブの長さ並びに内径は、音響空間１８の空気室容積に合わせて調整するのが好ましい。また、リークポート７は必要な内径寸法を得られる柔軟性を有する中空の筒状材であればよく、その材料はシリコン樹脂に限らない。リークポート７は、シリコン樹脂以外であってもよく、例えば、ゴム系材料、エラストマー樹脂材料、ＰＶＣ（ポリ塩化ビニル）樹脂材料であってもよい。
【００３７】
つまり、図２（ｂ）で示すように、螺旋状に巻回されるリークポート７は、ハウジング部材１２の孔を通過して、それらの両端がハウジング２の内側と外側とに現れることになる。リークポート７では、開口端部７ａおよび７ｃは、筒状材を斜めに切断することで、それらの開口面積が、その中間部７ｂでの断面積よりも大きくなるように形成されている。なお、リークポート７の開口端部７ｃには、通気性を有する保護部材としての保護ネット１５が取り付けられている。保護ネット１５は、リークポート７の開口端部から内部に異物が混入して音響通路が閉じてしまう、などの不具合を防止する。
【００３８】
カナル型のイヤホン１においては、適切な音圧周波数特性を得るのに、細くて長い寸法の音響通路であるリークポート７を形成しなければならない。リークポート７は、ハウジング２の寸法に対比して極めて細くて長い部材であるので、ハウジング２に取り付けるのに、特に工夫を要する。本実施例の場合のように、長いリークポート７をハウジング２に収めるには、屈曲部を設けないようにして所定の形状に整形する必要がある。チューブが急激に折れ曲がる屈曲部ができてしまうと、そこで筒状体の内部が閉じてしまう、または、内部の面積が著しく狭くなるので、音響通路として機能しなくなるからである。
【００３９】
このハウジング部材１２は、リークポート７を屈曲させることなく音響空間１８を構成するハウジング部材１２の内壁部および外壁部に添って固定する固定部１６を有する。ハウジング部材１２の内壁部には、リークポート７が嵌まり込む溝としての固定部１６ａが形成されている。同様に、ハウジング部材１２の外壁部には、リークポート７を沿わせる溝としての固定部１６ｂが形成されている。固定部１６ａおよび固定部１６ｂは、ハウジング部材１２を貫通する孔により連通するように構成されている。リークポート７を固定部１６に固定するには、接着剤、あるいは、両面テープなどの接着材料を用いてもよい。
【００４０】
したがって、図１および図２に示すように、中空の管状の部材であるリークポート７は、柔軟性を有するので、固定部１６によって屈曲することなく所定の略円弧状の形状に整形されるとともに、ハウジング部材１２に対して固定される。同時に、筒状のリークポート７は、ハウジング部材１２の外壁部に一端側が露出することになる。ただし、リークポート７は、ハウジング部材１２に添って固定されているので、ハウジング２から著しく突出するようなことがなく、イヤホン１のハウジング２全体を小型化できる。
【００４１】
リークポート７を固定する固定部１６は、筒状のリークポート７を収容する溝としてだけで無く、他の固定する部材を用いることができる。本実施例の場合には、ハウジング部材１２の外壁部に取り付けてリークポート７を覆って固定するとともに、リークポート７が外側に出てくる孔部分を外観に見せなくするカバー８を更に設けている。もちろん、ハウジング部材１２の外壁部にリークポート７を覆って固定するカバーを設けてもよい。カバー８に意匠性を与えてイヤホン１の外観の美観を改善することができる。
【００４２】
図３は、本実施例のイヤホン１、並びに、比較例のイヤホン１０の音圧周波数特性について説明するグラフであり、横軸は入力音声信号の周波数を示し、縦軸は測定治具である耳型に装着した場合の外耳道での音圧レベルを示す。比較例の（図示しない）イヤホン１０は、本実施例のイヤホン１において、ハウジング２が、音響空間１８に連通して音波を外部空間に導く音響通路を形成するリークポート７を備えない場合である。スピーカーユニット３は共通する。したがって、図３は、カナル型のイヤホン１におけるリークポート７の作用効果を表している。
【００４３】
図３に示すように、リークポート７の有無により、イヤホンの音圧周波数特性は大きく変化する。本実施例のイヤホン１は、比較例のイヤホン１０に比べて、約３００Ｈｚ〜１ｋＨｚがおおよそフラットな特性となるように改善されている。その結果、再生音声の明瞭度を向上させることができる。再生する音波の出口がユーザーの外耳道入り口に挿入されるカナル型のイヤホン１としては、比較例のイヤホン１０に比べて自然で好ましい音声再生を実現することができる。
【００４４】
ここで、リークポート７は、細い筒状材を螺旋状に巻回して音響通路を形成するのが好ましい。リークポート７の長さは、少なくとも略円形状のハウジング２の周長に相当する寸法よりも長い寸法にするのが適当からである。リークポート７を短くすると、上記の本実施例の場合の様に３００Ｈｚ付近の音圧が下がらなくなるので、再生音声の明瞭度が低くなり、再生音質が劣化する。
【００４５】
なお、カナル型のイヤホン１においては、上記の様な細い筒状材を螺旋状に巻回して音響通路を形成するリークポート７が好ましいが、一方で、同様の細さ／長さのリークポート７を従来の他のカナル型ではないイヤホンに適用すると、同様の効果を得ることができない。その場合には、低音域の音圧レベルが高くなり、明瞭度が低くなり、音声再生周波数帯域が狭くなるという問題が発生する。その結果、そのようなイヤホンは、良好な再生音質を確保することも難しくなる。
【００４６】
イヤホン１のハウジング２の大きさに比較して相対的に長いリークポート７をハウジング２に収めるには、本実施例のように屈曲部を設けないようにして所定の形状に整形する必要がある。その上では、必要に応じて長い筒状のリークポート７を、少なくとも１回転以上重ねて巻くような螺旋状に巻回わすように整形するのがよい。仮に１回転以下で収まる場合であっても、リークポート７を螺旋状に巻回わすように整形するように固定部１６を設ければ、音響空間１８を構成するハウジング部材１２の内壁部および／または外壁部に添って固定することができる。
【００４７】
リークポート７が比較的に短い場合、あるいは、リークポート７をハウジング部材１２の内部側で螺旋状に巻回わすように整形する場合には、リークポート７のハウジング部材１２の外側に出てくる部分の長さが短くなり、最も短くなる場合には、リークポート７の外側空間側の開口端部７ｃがハウジング部材１２の外壁部に出現するだけになる場合がある。したがって、ハウジング部材１２の固定部１６は、リークポート７を屈曲させることなくハウジング部材１２の内壁部に添って固定するように、少なくともハウジング部材１２の内壁部に設ければよい。また、同様に、リークポート７が比較的に短い場合には、リークポート７をハウジング部材１２の外壁部に添って固定するように、ハウジング部材１２の固定部１６を外壁部に設けてもよい。つまり、ハウジング部材１２の固定部１６は、ハウジング部材１２の内壁部また外壁部の少なくとも何れか一方に設けられて、リークポート７をハウジング部材１２に添って固定するものであればよい。
【００４８】
なお、ハウジング２のリークポート７は、音響空間１８に連通して音波を外部空間に導く音響通路を、必ずしも柔軟な筒状体で形成しなくても、同程度の断面積を有する管部をハウジング部材１２の外壁部および内壁部を貫通するように設けることで代用してもよい。また、ハウジング部材１２に取り付けるカバー８を用いて、リークポート７に代わる音響通路を設けてもよい。また、リークポート７は、その全部を柔軟な筒状体で形成しなくても、一部を上記の様なハウジング部材１２の外壁部および内壁部を貫通する管部によって代用してもよい。リークポート７を長くすることができれば、音声再生周波数帯域を十分に広げて良好な再生音質を確保することができる。
【００４９】
また、リークポート７は、開口端部７ａおよび７ｃの開口面積が、チューブまたは筒状体を斜めに切断することにより、その中間部７ｂでの断面積よりも大きくなるように形成されていれば、リークポートとしての動作および効果を高めることができる。したがって、リークポート７を異なる太さの筒状体を連結するようにして形成してもよい。
【００５０】
また、上記実施例では、リークポート７が、外部空間と連通する開口端部７ｃに通気性を有する保護部材１５を備えるが、保護部材１５は、リークポート７の音響空間１８に連通する開口端部７ａに設けてもよい。リークポート７の内部に異物が混入してリークポート７が閉じてしまう、または、狭くなるといった不具合を防止することができる。
【産業上の利用可能性】
【００５１】
本発明のイヤホンは、図示するようなカナル型のイヤホンに限らず、さらに別の耳掛け部を備えるイヤホンであってもよい。また、イヤホンに限らず、ヘッドバンドにより左右両耳に対応するイヤホンを連結して、オーバーヘッドタイプのイヤホンを構成してもよい。イヤホンは、家庭用のステレオ再生、もしくはマルチチャンネルサラウンド再生に限られず、車載用のオーディオ機器や、映画館等の音響再生設備にも適用が可能である。
【符号の説明】
【００５２】
１、１０      イヤホン
２            ハウジング
３            スピーカーユニット
４            コードブッシュ
５            コード
６            イヤピース
７            リークポート
８            カバー
１１          ベース部材
１２          ハウジング部材
１４、１５    保護ネット
１６          固定部
１７、１８    音響空間
【図１】
2018006784.tif 000003
【図２】
2018006784.tif 000004
【図３】
2018006784.tif 000005